(57)【要約】【課題】本発明は、端子収容部のピッチが狭くても作業性を損なうことなく防水部材を固定可能なコネクタを提供することを目的とする。【解決手段】本発明のコネクタは、筒状部２及び筒状部に収容され端子を収容する端子収容部３１〜３４を有するハウジング４と端子収容部をシールする第１シール部材９及び第２シール部材１０とを備え、第１シール部材は、第１端子収容部に嵌合される第１環状部９１と、隣接する第２端子収容部の配置方向とは異なる方向に延びるように形成された第１延在部９３とを有し、第２シール部材は、第２端子収容部に嵌合される第２環状部１０１と更に第３端子収容部に嵌合される第３環状部１０２と、第２環状部及び第３環状部を連結すると共に少なくとも第１延在部に重なるように延びる第２延在部１０３とを有しており、第２端子収容部及び第３端子収容部の先端側には固定部材１１が設けられる。【選択図】図１
2015153549.tif 000002
【特許請求の範囲】
【請求項１】
筒状部、及び前記筒状部に収容されると共に端子を収容する複数の端子収容部を有するハウジングと、
前記端子収容部をシールする第１シール部材及び第２シール部材とを備え、
前記第１シール部材は、第１端子収容部の外周側に嵌合される第１環状部と、前記第１環状部から隣接する第２端子収容部の配置方向とは異なる方向に延びるように形成された第１延在部とを有しており、
前記第２シール部材は、前記第２端子収容部に嵌合される第２環状部と、更に第３端子収容部に嵌合される第３環状部と、前記第２環状部及び前記第３環状部を連結すると共に少なくとも前記第１延在部に重なるように延びる第２延在部とを有しており、
前記第２端子収容部及び前記第３端子収容部の先端側には前記第２シール部材を固定する固定部材が設けられることを特徴とするコネクタ。
【請求項２】
前記第１シール部材が、更に１又は２以上の環状部を有しており、前記第１シール部材の全ての環状部である第１シール環状部が前記第１延在部で連結されているを特徴とする請求項１記載のコネクタ。
【請求項３】
前記第２シール部材が、更に１又は２以上の環状部を有しており、前記第２シール部材の全ての環状部である第２シール環状部が前記第２延在部で連結されていることを特徴とする請求項１又は２記載のコネクタ。
【請求項４】
前記第１シール環状部には、各環状部の外周に沿ってそれぞれ第１突起部が形成されており、前記第２シール環状部には、各環状部の外周に沿ってそれぞれ第２突起部が形成されており、前記第１突起部と前記第２突起部は、環状部の高さ方向における形成位置が異なることを特徴とする請求項１〜３何れか１項に記載のコネクタ。
【発明の詳細な説明】
【技術分野】
【０００１】
本発明は、電気自動車等の受電するために車両側に取付けられるコネクタに関する。
【背景技術】
【０００２】
近年、電気自動車やプラグインハイブリッドタイプの自動車等の普及が進んでいる。これらの自動車は駆動力の主な発生源としてモーターを用いており、このモーターへの電力供給手段として二次電池を搭載している。このような車両の二次電池を充電する方法においては、車両側の充電口と充電ケーブルとの間を着脱自在に係合し、相互間の電気的な接続を得るためのコネクタを設ける必要がある。
【０００３】
通常、車両への充電は屋外で行われるため、充電時に車両側の充電コネクタに水が浸入して端子間にリーク電流が流れて絶縁破壊される可能性がある。このような端子間のリーク電流を防止するために、各端子収容室の間をもシールする、いわゆる個室防水構造のコネクタが提案されている（例えば、特許文献１）。
【先行技術文献】
【特許文献】
【０００４】
【特許文献１】特開２００１−６７９８号公報
【発明の概要】
【発明が解決しようとする課題】
【０００５】
上記特許文献１に開示されたコネクタは、コネクタハウジングに、端子金具を収容した複数の端子収容部が並んで突設され、この各端子収容部の外周に嵌着されて対応する相手側コネクタハウジングの筒部との間をシールする防水リングが設けられている。そして各防水リング同士がコネクタハウジングの前面壁に沿って設けられた連結体により一体的に連結され、この連結体に保持棒が形成されており、この保持棒をハウジングの取付穴に挿入することで、装着作業が簡便に行えるとされている。
【０００６】
しかしながら、ハウジングの取付穴は各端子収容部の間に形成されていることから、各端子収容部のピッチを狭くすることができない。特に、電気自動車等用のコネクタはその形状等は規格で定められているところ、このようなコネクタは隣接する端子収容部のピッチが狭く、隣接する端子収容部間に取付穴を形成することができない。
【０００７】
そこで本発明は、各端子収容部のピッチが狭くても作業性を損なうことなく防水部材を固定可能なコネクタを提供することを目的とする。
【課題を解決するための手段】
【０００８】
本発明者らは、上記課題を解決するため鋭意研究を重ねた結果、以下の発明により、上記課題を解決し得ることを見出した。
【０００９】
すなわち本発明に係るコネクタは、筒状部、及び前記筒状部に収容されると共に端子を収容する複数の端子収容部を有するハウジングと、前記端子収容部をシールする第１シール部材及び第２シール部材とを備え、前記第１シール部材は、第１端子収容部の外周側に嵌合される第１環状部と、前記第１環状部から隣接する第２端子収容部の配置方向とは異なる方向に延びるように形成された第１延在部とを有しており、前記第２シール部材は、前記第２端子収容部に嵌合される第２環状部と、更に第３端子収容部に嵌合される第３環状部と、前記第２環状部及び前記第３環状部を連結すると共に少なくとも前記第１延在部に重なるように延びる第２延在部とを有しており、前記第２端子収容部及び前記第３端子収容部の先端側には前記第２シール部材を固定する固定部材が設けられることを特徴とする。
【００１０】
本発明に係るコネクタによれば、端子収容部をシールする第１シール部材及び第２シール部材とを備え、前記第１シール部材は、第１端子収容部の外周側に嵌合される第１環状部と、前記第１環状部から隣接する第２端子収容部の配置方向とは異なる方向に延びるように形成された第１延在部とを有しており、前記第２シール部材は、前記第２端子収容部に嵌合される第２環状部と、更に第３端子収容部に嵌合される第３環状部と、前記第２環状部及び前記第３環状部を連結すると共に少なくとも前記第１延在部に重なるように延びる第２延在部とを有している。これにより、第１延在部を２ヵ所で固定されている第２延在部で押さえることができるため第１シール部材を第２シール部材で確実に固定することができる。更に、第２端子収容部及び第３端子収容部の先端側には第２シール部材を固定する固定部材が設けられる。これにより、第２シール部材も端子収容部に固定される。このように第１及び第２シール部材に設けられる延在部を重ねることと重ねた第２シール部材を固定部材で固定することで容易にシール部材全体を端子収容部に固定することができる。また、第２延在部に押さえられる第１延在部が、第１環状部から隣接する第２端子収容部の配置方向とは異なる方向に延びるように形成されているので、隣接する端子収容部のピッチの狭広に関係なく、確実にシール部材を押さえることができる。この結果、隣接する各端子収容部のピッチが狭くても作業性を損なうことなく防水部材を固定可能なコネクタを提供することができる。
【００１１】
また、前記第１シール部材が、更に１又は２以上の環状部を有しており、前記第１シール部材の全ての環状部である第１シール環状部が前記第１延在部で連結されていることが好ましい。
【００１２】
これにより、複数の環状部の間に第１延在部が一体的に形成され、各環状部が対応する端子収容部に嵌合されているため、第１延在部が少なくとも２ヵ所で固定されることになる。そのため、第１延在部の位置調整が容易となりより確実に第２延在部で重ねて押さえることができ、より作業性が向上する。
【００１３】
また、前記第２シール部材が、更に１又は２以上の環状部を有しており、前記第２シール部材の全ての環状部である第２シール環状部が前記第２延在部で連結されていることが好ましい。
【００１４】
これにより、３つ以上の環状部の間に第２延在部が一体的に形成され、各環状部が対応する端子収容部に嵌合されているため、第２延在部が少なくとも３か所で固定されることになる。そのため、第２延在部の位置調整が容易となりより確実に第１延在部を重ねて押さえることができ、より作業性が向上する。
【００１５】
また、前記第１シール環状部には、各環状部の外周に沿ってそれぞれ第１突起部が形成されており、前記第２シール環状部には、各環状部の外周に沿ってそれぞれ第２突起部が形成されており、前記第１突起部と前記第２突起部は、環状部の高さ方向における形成位置が異なることが好ましい。
【００１６】
これにより、第１突起部と第２突起部は、環状部の高さ方向における形成位置が異なるため、給電側のコネクタを挿入するときに、第１突起部と第２突起部の変形するタイミングが異なることになる。このため、給電側のコネクタの挿入力が分散して給電時の作業性が高くなる。
【発明の効果】
【００１７】
本発明によれば、各端子収容部のピッチが狭くても作業性を損なうことなく防水部材を固定可能なコネクタを提供することができる。
【図面の簡単な説明】
【００１８】
【図１】本発明の実施形態に係るコネクタを示す斜視図である。
【図２】図１のコネクタのシール部材及び固定部材を組込む前の斜視図である。
【図３】図１のコネクタのシール部材及び固定部材を示す斜視図である。
【図４】図２のシール部材及び固定部材の分解斜視図である。
【図５】シール部材の変形例を示す図であり（ａ）は第１シール部材の正面図であり、（ｂ）は第２シール部材の正面図であり、（ｃ）は組立てたシール部材の正面図である。
【図６】シール部材の他の変形例を示す図であり（ａ）は第１シール部材の正面図であり、（ｂ）は第２シール部材の正面図であり、（ｃ）は組立てたシール部材の正面図である。
【図７】シール部材の更に他の変形例を示す斜視図である。
【発明を実施するための形態】
【００１９】
以下、添付図面を参照して、本発明の好適な実施形態について詳細に説明する。なお、図面の説明において同一又は相当部分には同一符号を付し、重複する説明は省略する。
【００２０】
図１は、本発明の実施形態に係るコネクタ１を示す斜視図である。図２は、図１のコネクタのシール部材及び固定部材を組込む前の斜視図である。図１及び図２に示すように、コネクタ１は、筒状部２と、筒状部２に収容されると共に端子を収容する第１〜第４端子収容部３１〜３４と、を有するハウジング４を備えている。このハウジング４は筒状部２の外周側に外側に延びるフランジ部５を備えており、不図示の固定孔により、コネクタ１を電気自動車やプラグインハイブリッドカーの車体に取り付ける際にネジなどを挿通させる。また、ハウジング４には蓋体６が回動可能に取り付けられており、筒状部２の開口７を開閉することができる。
【００２１】
筒状部２には、筒状部２の内部を仕切る底部８が形成されており、筒状の各端子収容部３１〜３４は、この底部８から筒状部２の軸方向に延びるように形成され、それぞれに不図示の端子が収容されている。本実施形態において第１〜第４収容端子部３１〜３４は、それぞれの軸中心を結んだ線が略正方形となるように配置されており、対角線上の一対である第１端子収容部３１及び第４端子収容部３４が充電プラグの信号端子に嵌合する２つの信号線ソケットと、他の対角線上の一対である第２端子収容部３２及び第３端子収容部３３が充電プラグのパワー端子に嵌合する２つのパワーソケットとして機能する。そして、この信号用ソケットとして機能する第１及び第４端子収容部３１，３４と、パワーソケットとして機能する第２及び第３端子収容部３２，３３とは互いに隣接して配置されている。
【００２２】
また、各端子収容部３１〜３４には、充電プラグのパワー端子及び信号端子が嵌合する際に防水性を確保するための第１シール部材９と第２シール部材１０とが設けられている。更には第２シール部材１０を固定するための固定部材１１が設けられている。
【００２３】
図３及び図４を参照して、第１シール部材９、第２シール部材１０及び固定部材１１について詳細に説明する。
【００２４】
図３は、図１の本実施形態に係るコネクタのシール部材及び固定部材を示す斜視図である。なお、本図は、本実施形態に係るコネクタに組込まれた状態のシール部材及び固定部材のみを示し、他の部材は省略している。図４は、図３のシール部材及び固定部材の分解斜視図である。
【００２５】
第１シール部材９は、シリコーンゴムなどの弾性材料で形成されており、防水性を確保するために２つの信号ソケットとして機能する第１及び第４端子収容部３１，３４に取付けられる。この第１シール部材９は全部で２つの環状部からなる第１シール環状部９０、即ち第１環状部９１及び第４環状部９２を有しており、第１環状部９１及び第４環状部９２の間に板状の第１延在部９３が一体的に形成されている。即ち、第１シール環状部である第１環状部９１及び第４環状部９２が第１延在部９３で連結されている。
【００２６】
各環状部はそれぞれ第１及び第４端子収容部３１，３４に嵌合して取付けられ、充電コネクタ嵌合後の防水性を確保する。また、各環状部の外周側には、その外周に沿って第１突起部９４が設けられており充電コネクタの嵌合性と防水性とを更に高めている。なお、第１環状部９１及び第４環状部９２に形成される各第１突起部９４は、それぞれ環状部の高さ方向における形成位置が略同一である。第１延在部９３は両側縁が内側に切り欠かれた切欠部９５が形成されている。この切欠部９５は、第１シール部材９がハウジング４に組込まれたときに、隣接する端子収容部に組込まれる後述する第２シール部材１０の環状部に干渉しないように、第２シール部材１０の環状部の外形に沿った形に切り欠かれている。
【００２７】
第２シール部材１０は、シリコーンゴムなどの弾性材料で形成されており、防水性を確保するために２つのパワーソケットとして機能する第２及び第３端子収容部３２，３３に取付けられる。この第２シール部材１０は全部で２つの環状部からなる第２シール環状部１００、即ち第２環状部１０１及び第３環状部１０２を有しており、この２つの環状部の間に板状の第２延在部１０３が一体的に形成されている。即ち、第２シール環状部である第２環状部１０１及び第３環状部１０２が第２延在部１０３で連結されている。
【００２８】
各環状部はそれぞれ第２及び第３端子収容部３２，３３に嵌合して取付けられ、充電コネクタ嵌合後の防水性を確保する。また、各環状部の外周側には、その外周に沿って第２突起部１０４が設けられており充電コネクタの嵌合性と防水性とを更に高めている。なお、第２環状部１０１及び第３環状部１０２に形成される各第２突起部１０４は、それぞれ環状部の高さ方向における形成位置が略同一である。更に、組込んだときの第１シール部材の第１環状部９１及び第４環状部９２の第１突起部９４に対しても、環状部の高さ方向における形成位置が略同一である。第２延在部１０３は両側縁が内側に切り欠かれた切欠部１０５が形成されている。この切欠部１０５は、第２シール部材１０がハウジング４に組込まれたときに、隣接する端子収容部に組込まれる第１シール部材９の環状部に干渉しないように、第１シール部材９の環状部の外形に沿った形に切り欠かれている。
【００２９】
固定部材１１は、樹脂材料などで円筒状に形成されており、第２シール部材１０をハウジング４に固定するために、第２シール部材１０が組込まれた第２及び第３端子収容部３２，３３の先端側に取付けられている。固定部材には、弾性変形する係止部１１１が設けられており、第２及び第３端子収容部３２，３３の先端に形成される不図示の凹部に係止されることで確実に固定される。
【００３０】
続いて、第１シール部材９、第２シール部材１０及び固定部材１１のハウジング４への組込み手順について説明する。
【００３１】
まず、第１シール部材９の第１環状部９１及び第４環状部９２を図２に示す信号用ソケットとして機能する第１端子収容部３１及び第４端子収容部３４に嵌合する。このとき第１延在部９３は、図２に示すパワーソケットとして機能する第２端子収容部３２及び第３端子収容部３３の間に配置されることになる。即ち、信号用ソケットとして機能する第１端子収容部３１に対して隣接するパワーソケットとして機能する第２端子収容部３２の配置方向（略正方形配置の辺方向）とは異なる方向（略正方形配置の対角線方向）に第１延在部９３が延びるように配置される。
【００３２】
次に、第２シール部材１０の第２環状部１０１及び第３環状部１０２をパワーソケットとして機能する第２端子収容部３２及び第３端子収容部３３に嵌合する。このとき第２延在部１０３は、第１延在部９３上に重なるように配置されることになる。これにより第２延在部１０３で第１延在部９３を重ねて押さえることになる。
【００３３】
そして、２つの固定部材１１を第２端子収容部３２及び第３端子収容部３３の先端側に取付けて、第２シール部材１０を固定する。これにより、第１シール部材９及び第２シール部材１０の全てのシール部材が第１〜第４端子収容部３１〜３４に固定される。
【００３４】
本実施形態に係るコネクタによれば、第１〜第４端子収容部３１〜３４をシールする第１シール部材９及び第２シール部材１０とを備え、前記第１シール部材９は、第１端子収容部３１の外周側に嵌合される第１環状部９１と、前記第１環状部９１から隣接する第２端子収容部３２の配置方向とは異なる方向に延びるように形成された第１延在部９３とを有しており、前記第２シール部材１０は、前記第２端子収容部３２に嵌合される第２環状部１０１と、更に第３端子収容部３３に嵌合される第３環状部１０２と、前記第２環状部１０１及び前記第３環状部１０２を連結すると共に少なくとも前記第１延在部９３に重なるように延びる第２延在部１０３とを有している。これにより、第１延在部９３を２ヵ所で固定されている第２延在部１０３で押さえることができるため第１シール部材９を第２シール部材１０で確実に固定することができる。更に、第２端子収容部３２及び第３端子収容部３３の先端側には第２シール部材１０を固定する固定部材１１が設けられる。これにより、第２シール部材１０も第２及び第３端子収容部３２，３３に固定される。このように第１及び第２シール部材９，１０に設けられる各延在部９３，１０３を重ねることと重ねた第２シール部材１０を固定部材１１で固定することで容易にシール部材全体を第１〜第４端子収容部３１〜３４に固定することができる。また、第２延在部１０３に押さえられる第１延在部９３が、第１環状部９１から隣接する第２端子収容部３２の配置方向とは異なる方向に延びるように形成されているので、隣接する端子収容部のピッチの狭広に関係なく、確実にシール部材を押さえることができる。この結果、隣接する各端子収容部のピッチが狭くても作業性を損なうことなく防水部材を固定可能なコネクタを提供することができる。
【００３５】
また、本実施形態に係るコネクタは、第１シール部材９が、第１環状部９１及び第４環状部９２の２つの環状部を有しており、前記第１シール部材９の全ての環状部である第１シール環状部９０が前記第１延在部９３で連結されている。これにより、２つの環状部の間に第１延在部９３が一体的に形成され、各環状部が対応する第１端子収容部３１及び第４端子収容部３４に嵌合されているため、第１延在部９３が少なくとも２ヵ所で固定されることになる。そのため、第１延在部９３の位置調整が容易となりより確実に第２延在部１０３で重ねて押さえることができ、より作業性が向上する。
【００３６】
また、第２シール部材１０の第２シール環状部１００が更に１又は２以上の環状部、即ち３つ以上の環状部が形成され、この第２シール環状部１００が第２延在部１０３で連結されていても良い。これにより、３つ以上の環状部の間に第２延在部１０３一体的に形成され、各環状部が対応する端子収容部に嵌合されているため、第２延在部１０３が少なくとも３か所で固定されることになる。そのため、第２延在部１０３の位置調整が容易となり、より確実に第１延在部９３を重ねて押さえることができ、より作業性が向上する。
【００３７】
続いて、シール部材の変形例について詳細に説明する。
【００３８】
図５は、シール部材の変形例を示す図であり（ａ）は第１シール部材の正面図であり、（ｂ）は第２シール部材の正面図であり、（ｃ）は組立てたシール部材の正面図である。
【００３９】
図５に示すように、本変形例に係るシール部材は、上記実施形態に係る第１シール部材９が第１環状部９１及び第４環状部９２の２つの環状部を有しているのに対して、第１環状部９１のみの１つの環状部のみを有している点で異なる。そのため、第１延在部９３は一端側では環状部が一体的に形成されているが、他端側では自由端となる。本変形例のシール部材では、第１シール部材９は１つの環状部を有し、第２シール部材は２つの環状部を有する。従って、３つの端子収容部を有するコネクタに対応する。
【００４０】
本変形例に係るシール部材においても、第１延在部９３上に第２延在部１０３が重なるように配置されることになり、隣接する各端子収容部のピッチが狭くても作業性を損なうことなく防水部材を固定可能なコネクタを提供することができる。
【００４１】
図６は、シール部材の他の変形例を示す図であり（ａ）は第１シール部材の正面図であり、（ｂ）は第２シール部材の正面図であり、（ｃ）は組立てたシール部材の正面図である。
【００４２】
図６に示すように、本変形例に係るシール部材は、上記実施形態に係る第１シール部材９が第１環状部９１及び第４環状部９２の２つの環状部を有しているのに対して、更に第５環状部９６の３つの環状部を有している点で異なる。そのため、第１延在部９３は一端側では１つの環状部が一体的に形成されているが、他端側では２つの環状部が並んで一体的に形成されてる。本変形例のシール部材では、第１シール部材９は３つの環状部を有し、第２シール部材１０は２つの環状部を有する。従って、５つの端子収容部を有するコネクタに対応する。
【００４３】
本変形例に係るシール部材においては、第１シール部材９の第１シール環状部９０が更に１又は２以上の環状部、即ち３つ以上の環状部が形成され、この第１シール環状部９０が第１延在部９３で連結されている。これにより、３つ以上の環状部の間に第１延在部９３一体的に形成され、各環状部が対応する端子収容部に嵌合されているため、第１延在部９３が少なくとも３か所で固定されることになる。そのため、第１延在部９３の位置調整が更に容易となり、より作業性が向上する。
【００４４】
図７は、シール部材の更に他の変形例を示す斜視図である。
【００４５】
図７に示すように、本変形例に係るシール部材は、上記実施形態に係るシール部材の第１シール環状部９０の第１突起部９４と、第２シール環状部１００の第２突起部１０４が、各シール部材を組込んだときの環状部の高さ方向における形成位置が略同一であるのに対して、第１シール環状部９０の第１突起部９４と、第２シール環状部１００の第２突起部１０４が、各シール部材を組込んだときの環状部の高さ方向における形成位置が異なる点で異なる。
【００４６】
本変形例に係るシール部材においては、第１突起部９４と第２突起部１０４は、環状部の高さ方向における形成位置が異なるため、給電側のコネクタを挿入するときに、第１突起部９４と第２突起部１０４の変形するタイミングが異なることになる。このため、給電側のコネクタの挿入力が分散して給電時の作業性が高くなる。
【符号の説明】
【００４７】
１…コネクタ、２…筒状部、３１…第１端子収容部、３２…第２端子収容部、３３…第３端子収容部、３４…第４端子収容部、４…ハウジング、５…フランジ部、６…蓋体、７…開口、８…底部、９…第１シール部材、９０…第１シール環状部、９１…第１環状部、９２…第４環状部、９３…第１延在部、９４…第１突起部、９５，１０５…切欠部、９６…第５環状部、１０…第２シール部材、１００…第２シール環状部、１０１…第２環状部、１０２…第３環状部、１０３…第２延在部、１０４…第２突起部、１１…固定部材、１１１…係止部。
【図１】
2015153549.tif 000003
【図２】
2015153549.tif 000004
【図３】
2015153549.tif 000005
【図４】
2015153549.tif 000006
【図５】
2015153549.tif 000007
【図６】
2015153549.tif 000008
【図７】
2015153549.tif 000009
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
筒状部、及び前記筒状部に収容されると共に端子を収容する複数の端子収容部を有するハウジングと、
前記端子収容部をシールする第１シール部材及び第２シール部材とを備え、
前記第１シール部材は、第１端子収容部の外周側に嵌合される第１環状部と、前記第１環状部から隣接する第２端子収容部の配置方向とは異なる方向に延びるように形成された第１延在部とを有しており、
前記第２シール部材は、前記第２端子収容部に嵌合される第２環状部と、更に第３端子収容部に嵌合される第３環状部と、前記第２環状部及び前記第３環状部を連結すると共に少なくとも前記第１延在部上に重なるように延びて前記第１延在部を押さえる第２延在部とを有しており、
前記第２端子収容部及び前記第３端子収容部の先端側には前記第２シール部材を固定する固定部材が設けられることを特徴とするコネクタ。
【請求項２】
前記第１シール部材が、更に１又は２以上の環状部を有しており、前記第１シール部材の全ての環状部である第１シール環状部が前記第１延在部で連結されているを特徴とする請求項１記載のコネクタ。
【請求項３】
前記第２シール部材が、更に１又は２以上の環状部を有しており、前記第２シール部材の全ての環状部である第２シール環状部が前記第２延在部で連結されていることを特徴とする請求項１又は２記載のコネクタ。
【請求項４】
前記第１シール環状部には、各環状部の外周に沿ってそれぞれ第１突起部が形成されており、前記第２シール環状部には、各環状部の外周に沿ってそれぞれ第２突起部が形成されており、前記第１突起部と前記第２突起部は、環状部の高さ方向における形成位置が異なることを特徴とする請求項１〜３何れか１項に記載のコネクタ。
【手続補正２】
【補正対象書類名】明細書
【補正対象項目名】０００９
【補正方法】変更
【補正の内容】
【０００９】
すなわち本発明に係るコネクタは、筒状部、及び前記筒状部に収容されると共に端子を収容する複数の端子収容部を有するハウジングと、前記端子収容部をシールする第１シール部材及び第２シール部材とを備え、前記第１シール部材は、第１端子収容部の外周側に嵌合される第１環状部と、前記第１環状部から隣接する第２端子収容部の配置方向とは異なる方向に延びるように形成された第１延在部とを有しており、前記第２シール部材は、前記第２端子収容部に嵌合される第２環状部と、更に第３端子収容部に嵌合される第３環状部と、前記第２環状部及び前記第３環状部を連結すると共に少なくとも前記第１延在部上に重なるように延びて前記第１延在部を押さえる第２延在部とを有しており、前記第２端子収容部及び前記第３端子収容部の先端側には前記第２シール部材を固定する固定部材が設けられることを特徴とする。